(57)【要約】  【課題】歩留まりを向上できるＤＣマグネトロンスパッタ装置を提供する。  【解決手段】マグネットの２回目以降の揺動の際にターゲットに印加する電圧の３０％以下の電圧をマグネットの１回目の揺動の際にターゲットに印加する。マグネットの１回目の揺動時の放電電圧を抑制できる。マグネットの揺動を開始した時点に発生しやすい異常放電を抑制できる。異常放電の回数を抑制できる。ガラス基板の表面へのスプラッシュを防止できる。ガラス基板上に成膜されるメタル層での線欠陥や点欠陥を効率良く防止できる。薄膜トランジスタの歩留まりを向上できる。  【選択図】図１
2007077454.tif 000002
【特許請求の範囲】
【請求項１】
基板が設置されるステージと、
前記ステージに離間対向して前記ステージに沿って磁場が変化可能に配設された磁場形成手段と、
前記磁場形成手段と前記ステージとの間に配設されたターゲットとを具備し、
前記磁場形成手段によって形成される磁場を複数回に亘って変化させながら前記ターゲットに電圧を印加して、前記ターゲットを構成する物質を前記基板上に成膜するスパッタ方法であって、
前記成膜を開始してから１回目の前記磁場形成手段からの磁場の変化の際に前記ターゲットに印加する電圧を、この１回目の前記磁場形成手段からの磁場の変化の際に前記基板上に前記物質を成膜させない電圧とする
ことを特徴とするスパッタ方法。
【請求項２】
１回目の前記磁場形成手段からの磁場の変化の際に前記基板上に前記物質を成膜させない電圧は、２回目以降の前記磁場形成手段からの磁場の変化の際に前記ターゲットに印加する電圧の３０％以下の電圧である
ことを特徴とする請求項１記載のスパッタ方法。
【発明の詳細な説明】
【技術分野】
【０００１】
本発明は、磁場形成手段にて形成される磁場を変化させながらターゲットに電圧を印加してターゲット中の物質を基板上に成膜するスパッタ方法に関する。
【背景技術】
【０００２】
従来、この種のスパッタ方法を用いたマグネトロンスパッタ方法としては、チャンバ内にターゲットが配設され、このターゲットに対向してステージが設置されている。また、このターゲットの裏側に揺動可能にマグネットが配設されている。
【０００３】
そして、ステージ上に基板を設置してターゲットに対向させつつ、チャンバ内にアルゴン(Ａｒ)やクリプトン(Ｋｒ)などの不活性ガスを充填した状態で、マグネットを揺動させながらターゲットに電圧を印加して、このターゲットを構成する物質を基板上にスパッタして成膜させる方法が知られている(例えば、特許文献１参照。)。
【特許文献１】特開平９−５９７７２号公報
【発明の開示】
【発明が解決しようとする課題】
【０００４】
しかしながら、上述したマグネトロンスパッタ法では、スパッタを開始して１回目のマグネットの揺動時の放電電圧が、２回目のマグネットの揺動時の放電電圧に比べて７０Ｖ程度高くなってしまう。
【０００５】
そして、この１回目のマグネットの揺動時の放電電圧が高いと、ターゲットに異常放電が発生しやすくなり、このターゲットが高いエネルギを有することになるから、ターゲット上に溶けた比較的大きな塊が基板上に付着する、いわゆるスプラッシュが発生してしまうおそれがある。
【０００６】
さらに、このスプラッシュにて基板上に付着する塊は、一般的に１μｍ以下から数十μｍまで存在するので、このスプラッシュにて基板上に付着した塊によって、基板上に成膜した膜に線欠陥や点欠陥などが発生してしまうおそれがある。このため、この基板上の膜の歩留まりの向上が容易ではないという問題を有している。
【０００７】
本発明は、このような点に鑑みなされたもので、歩留まりを向上できるスパッタ方法を提供することを目的とする。
【課題を解決するための手段】
【０００８】
本発明は、基板が設置されるステージと、前記ステージに離間対向して前記ステージに沿って磁場が変化可能に配設された磁場形成手段と、前記磁場形成手段と前記ステージとの間に配設されたターゲットとを具備し、前記磁場形成手段によって形成される磁場を複数回に亘って変化させながら前記ターゲットに電圧を印加して、前記ターゲットを構成する物質を前記基板上に成膜するスパッタ方法であって、前記成膜を開始してから１回目の前記磁場形成手段からの磁場の変化の際に前記ターゲットに印加する電圧を、この１回目の前記磁場形成手段からの磁場の変化の際に前記基板上に前記物質を成膜させない電圧とするものである。
【０００９】
そして、ステージに基板を設置した状態で、ステージに離間対向して配設された磁場形成手段からの磁場をステージに沿って変化させながら、ターゲットに電圧を印加して、このターゲットを構成する物質を基板上に成膜させる。このとき、この基板上への成膜を開始してから１回目の磁場形成手段からの磁場の変化の際にターゲットに印加する電圧を、この１回目の磁場形成手段からの磁場の変化の際に基板上に物質を成膜させない電圧とする。
【発明の効果】
【００１０】
本発明によれば、１回目の磁場形成手段からの磁場の変化の際に発生しやすいターゲットでの異常放電を防止できるから、この１回目の磁場形成手段からの磁場の変化の際に発生し得るターゲット上に溶けて固まった比較的大きな物質が基板上に付着することを防止できる。このため、このターゲットを構成する物質が基板上に成膜されて形成される膜の欠陥を防止できるから、この膜の歩留まりを向上できる。
【発明を実施するための最良の形態】
【００１１】
以下、本発明のスパッタ方法を用いたＤＣマグネトロンスパッタ装置の一実施の形態の構成を図２を参照して説明する。
【００１２】
図２において、１は成膜装置としてのＤＣ(Direct Current：直流)マグネトロンスパッタ装置である。このＤＣマグネトロンスパッタ装置１は、マグネット17,18,19を揺動させながら直流電圧を印加させるＤＣマグネトロンスパッタ法を用いて、電子部品などのメタル配線である物質としてのメタル層９を形成するスパッタ装置である。さらに、このＤＣマグネトロンスパッタ装置１は、絶縁性を有するとともに透光性を有する基板であるガラス基板８の一主面である表面に、所定の膜をスパッタリングして成膜してメタル配線であるメタル層９を形成させる。
【００１３】
具体的に、このＤＣマグネトロンスパッタ装置１は、中空な槽であるチャンバ２を備えている。このチャンバ２は、このチャンバ２内の雰囲気がスパッタ時に１０−４Ｐａ程度の略真空な状態に排気されて保持されている。そして、このチャンバ２内の一側面には、矩形平板状のターゲット３が配設されている。このターゲット３は、長手方向を上下方向に沿わせた状態で、チャンバ２内の一側面に取り付けられている。そして、このターゲット３には、図示しない高圧電源から所定の電圧であるとともに矩形波である直流電流が印加される。ここで、この高圧電源は、放電開始から放電終了までの間に亘って出力密度が一定の矩形波長である直流電圧を印加させる。
【００１４】
また、このチャンバ２内のターゲット３の外周縁部には、このターゲット３の外周縁を覆うように矩形枠状のグランドシールド４が取り付けられている。このグランドシールド４は、電気的に絶縁されたアースシールドであって、放電時に発生するプラズマの広がりを抑制させる。さらに、チャンバ２内のターゲット３の一主面である表面の外周縁に対向する位置には、矩形枠状である平板状の外マスク５が設置されている。この外マスク５は、長手方向を上下方向に沿わせた状態で、ターゲット３の表面の外周縁に離間対向して設置されている。また、この外マスク５の中央部には、矩形状の開口部６が設けられている。そして、この外マスク５の開口部６の開口縁の外側には、この開口部６の周方向に沿って絶縁体７が取り付けられている。
【００１５】
また、この外マスク５の開口部６に対向して、対向電極としてのサセプタ11が移動可能に取り付けられている。このサセプタ11は、外マスク５の開口部６が開閉可能となるように、この外マスク５の外側面に対して回動可能に取り付けられている。さらに、このサセプタ11の外マスク５の開口部６に対向する側の一主面である内側面の中央部には、矩形平板状のステージ12が取り付けられている。このステージ12は、サセプタ11を回動させて外マスク５の開口部６を閉塞した際に、この開口部６に対向する位置に取り付けられている。
【００１６】
さらに、このステージ12の一主面である表面の周縁部には、このステージ12に設置されるガラス基板８を保持する矩形枠状の内マスク13が取り付けられている。この内マスク13の中央部には、ステージ12上に設置されたガラス基板８の表面をターゲット３に対向させて露出させる露出開口部14が設けられている。さらに、この内マスク13は、サセプタ11を回動させて外マスク５の開口部６を閉塞した際に、この内マスク13の外側面が外マスク５の絶縁体７に当接して電気的に絶縁された状態で気密に保持できるように構成されている。
【００１７】
また、チャンバ２内の内マスク13および外マスク５にて閉塞されたターゲット３に対向した空間が放電空間15となる。そして、この放電空間15には、図示しないマスフロコントローラからアルゴン(Ａｒ)やクリプトン(Ｋｒ)などの不活性ガスが導入されて充填される。さらに、この放電空間15は、チャンバ２の外側に取り付けられているポンプ16によって真空保持される。
【００１８】
一方、外マスク５に対向する側とは反対側のターゲット３の他主面である裏面に対向した位置には、複数、例えば３つの磁場形成手段としてのマグネット17,18,19が揺動可能に設置されている。これらマグネット17,18,19は、ステージ12上に設置されるガラス基板８の表面積に対して１０％以上１５０％以下の表面積を有する大きさに形成されている。また、これらマグネット17,18,19は、チャンバ２の外側に配置されており、これらマグネット17,18,19それぞれの長手方向をターゲット３の長手方向に沿わせた状態で、このターゲット３の長手方向に沿って並設されている。
【００１９】
さらに、これらマグネット17,18,19は、ターゲット３の長手方向に沿って所定の間隔ほど所定の周期で往復移動可能に取り付けられている。したがって、これらマグネット17,18,19は、ステージ12の表面に沿って所定の間隔を介して往復運動が可能に移動可能に設けられ、このステージ12の表面に沿ってターゲット３およびステージ12上のガラス基板８に形成される磁場が変化できるように配設されている。
【００２０】
具体的に、これらマグネット17,18,19は、これらマグネット17,18,19の揺動によって、ステージ12上に設置されているガラス基板８上に、例えば２００ガウス以上２５０ガウス以下の磁場を変化させながら形成させる。すなわち、これらマグネット17,18,19は、ガラス基板８上へのメタル層９のスパッタリング時に揺動させることによって、このガラス基板８上のメタル層９の膜厚均一性を確保させる。また、これらマグネット17,18,19の揺動は、ガラス基板８上に成膜するメタル層９の膜厚に応じて揺動回数が調整される。
【００２１】
さらに、ターゲット３に電圧を印加する高圧電源は、ガラス基板８上へのメタル層９のスパッタリングによる成膜を開始してから１回目(１ｓｔ)のマグネット17,18,19の揺動の際に、ターゲット３に印加する電圧を、この１回目のマグネット17,18,19の揺動の際にガラス基板８上にメタル層９が成膜されない程度の電圧、すなわちこのマグネット17,18,19の２回目(２ｎｄ)以降の揺動の際にターゲット３に印加する電圧の３０％以下の電圧とする。
【００２２】
次に、上記ＤＣマグネトロンスパッタ装置にてスパッタリングされたメタル層を備えた液晶表示装置の構成を説明する。
【００２３】
図３において、21は液晶表示装置としての液晶パネルで、この液晶パネル21は、ガラス基板８を有する略矩形平板状のアレイ基板22を備えている。このアレイ基板22のガラス基板８の一主面である表面上には、このガラス基板８の幅方向に沿って等間隔に平行に離間された図示しない複数の走査線と、このガラス基板８の縦方向に沿って等間隔に平行に離間された複数の信号線とが直交に交差して配線されて格子状に設けられている。
【００２４】
さらに、これら走査線および信号線にて仕切られて囲まれた各領域のそれぞれに画素23が設けられている。これら画素23には、スイッチング素子としての薄膜トランジスタ(ＴＦＴ)24と、画素電極25と、蓄積容量としての画素補助容量である図示しない補助容量とのそれぞれが設けられている。ここで、これら各画素電極25は、同一画素23内の薄膜トランジスタ24に電気的に接続されており、この薄膜トランジスタ24にて制御される。
【００２５】
また、ガラス基板８の表面には、このガラス基板８からの不純物の拡散を防止する絶縁性のアンダーコート層31が成膜されている。このアンダーコート層31上には、ポリシリコンにて構成された半導体層としての島状の活性層32が設けられている。そして、この活性層32の幅方向の中央部にチャネル領域33が設けられており、このチャネル領域33を挟んだ両側にソース領域34およびドレイン領域35が設けられている。さらに、この活性層32を含むアンダーコート層31上にゲート絶縁膜36が成膜されており、この活性層32のチャネル領域33に対向するゲート絶縁膜36上にゲート電極37が積層されている。このゲート電極37は、走査線に一体的に接続され、この走査線とともにメタル層９にて構成されている。
【００２６】
そして、このゲート電極37、ゲート絶縁膜36および活性層32によって、スイッチング素子である薄膜トランジスタ24が形成されている。
【００２７】
さらに、この薄膜トランジスタ24のゲート電極37を含むゲート絶縁膜36上に層間絶縁膜38が積層されている。また、この層間絶縁膜38およびゲート絶縁膜36には、これら層間絶縁膜38およびゲート絶縁膜36を貫通し、活性層32のソース領域34およびドレイン領域35に連通した第１のコンタクトホール41,42が設けられている。そして、活性層32のソース領域34に貫通した第１のコンタクトホール41を含む層間絶縁膜38上にソース電極43が積層されて、このソース電極43が活性層32のソース領域34に電気的に接続されている。さらに、この活性層32のドレイン領域35に貫通した第１のコンタクトホール42を含む層間絶縁膜38上にドレイン電極44が積層されて、このドレイン電極44が活性層32のドレイン領域35に電気的に接続されている。
【００２８】
また、これらソース電極43およびドレイン電極44を含む層間絶縁膜38上に保護膜であるパッシベーション膜45が積層されている。このパッシベーション膜45には、このパッシベーション膜45を貫通してドレイン電極44に連通した第２のコンタクトホール46が設けられている。そして、この第２のコンタクトホール46を含むパッシベーション膜45上に画素電極25が積層されて、この画素電極25が第２のコンタクトホール46を介してドレイン電極44に電気的に接続されている。さらに、この画素電極25を含むパッシベーション膜45上には、配向処理されたポリイミドにて構成された配向膜47が積層されている。
【００２９】
さらに、この配向膜47に対向して対向基板51が配設されている。この対向基板51は、略透明な透光性を有する絶縁基板としてのガラス基板52を備えている。このガラス基板52の配向膜47に対向した側に位置する表面の全面に、着色層としてのカラーフィルタ層53が積層されている。また、このカラーフィルタ層53上には、コモン電極としての対向電極54が積層されている。さらに、この対向電極54上には、配向処理されたポリイミドにて構成された配向膜55が積層されている。そして、これらアレイ基板22の配向膜47と対向基板51の配向膜55との間の空間の液晶封止領域56には、液晶組成物57が注入されて封止されて光変調層としての液晶層58が設けられている。
【００３０】
次に、上記一実施の形態の液晶表示装置の製造方法について説明する。
【００３１】
まず、ＤＣマグネトロンスパッタ装置１のサセプタ11を回動させて、外マスク５の開口部６を開口させる。
【００３２】
この後、ステージ12上にガラス基板８を設置して、このガラス基板８の外周縁を内マスク13の露出開口部14に係止させる。
【００３３】
この状態で、このステージ12とともにサセプタ11を回動させて、内マスク13を絶縁体７に接触させて、これら内マスク13と外マスク５との間を、絶縁体７を介して気密に閉塞させて、チャンバ２内の放電空間15を気密に閉塞させる。
【００３４】
この後、マスフロコントローラから不活性ガスを所定の流量でチャンバ２内の放電空間15に導入させて、この放電空間15を略真空である１０−４Ｐａ程度の圧力に調整する。
【００３５】
さらに、各マグネット17,18,19のそれぞれを所定の周期で所定回数、例えば１５回ほど揺動させて、ステージ12上のガラス基板８の表面に、例えば２００ガウス以上２５０ガウス以下の磁場を形成させる。
【００３６】
このとき、これらマグネット17,18,19の１回目の揺動の際には、ガラス基板８上にメタル層９が成膜されない程度の電圧、すなわちこのマグネット17,18,19の２回目以降の揺動の際にターゲット３に印加する電圧の（１回目の揺動時の印加電圧）／（２回目以降の揺動時の印加電圧）×１００＝３０％以下、例えば５ｋＷあるいは１３ｋＷ程度の高電圧を高圧電源からターゲット３へと印加させて、放電空間15内に６００Ｖ以上７８０Ｖ以下の放電電圧を印加させる。
【００３７】
次いで、これらマグネット17,18,19の２回目以降の揺動の際には、ガラス基板８上に膜としてメタル層９が成膜される程度の電圧、すなわちこのマグネット17,18,19の１回目の揺動の際にターゲット３に印加する電圧の７０％以上、例えば５０ｋＷ程度の高電圧を高圧電源からターゲット３へと印加させて、放電空間15内に８００Ｖ以上８５０Ｖ以下の放電電圧を印加させる。
【００３８】
この結果、これらマグネット17,18,19の計１５回の揺動の間に、ステージ12上のガラス基板８の表面に所定の膜厚のメタル層９が略均一な膜厚で形成される。
【００３９】
ここで、これら各マグネット17,18,19の揺動回数に関わらず、ターゲット３への印加電圧を変化させない場合には、これら各マグネット17,18,19の揺動と放電空間15への放電電圧との関係を調べたところ、これらマグネット17,18,19の１回目の揺動時の放電電圧が、これらマグネット17,18,19の２回目以降の揺動時の放電電圧と比べると、７０Ｖ近く高くなっている。そして、この放電電圧が高い場合には、ＤＣマグネトロンスパッタ装置１でのスパッタリング時にターゲット３で異常放電が発生しやすくなり、この異常放電によってターゲット３が高いエネルギを有する。
【００４０】
このため、このターゲット３の表面に溶けた塊が、ステージ12上のガラス基板８の表面に付着し、いわゆるスプラッシュが発生してしまい、このスプラッシュによってガラス基板８上に形成したメタル層９に線欠陥や点欠陥などが生じてしまうおそれがある。
【００４１】
そこで、上述の一実施の形態のように、マグネット17,18,19の１回目の揺動の際に、これらマグネット17,18,19の２回目以降の揺動の際にターゲット３に印加する電圧の３０％以下の電圧を高圧電源からターゲット３へと印加させて、放電空間15内に６００Ｖ以上７８０Ｖ以下の放電電圧を印加させる構成とした。この結果、図１に示すように、これらマグネット17,18,19の１回目の揺動時の放電電圧を抑制して低下できる。
【００４２】
このため、これらマグネット17,18,19の揺動を開始させた時点、すなわちスパッタリング開始時に発生しやすい異常放電を抑制できるとともに、この異常放電の回数も抑制できる。したがって、ガラス基板８の表面へのスプラッシュを防止できるので、このガラス基板８上に成膜されるメタル層９での線欠陥や点欠陥などを効率良く防止できる。よって、このガラス基板８上に形成する薄膜トランジスタ24の歩留まりを向上できるので、液晶パネル21を歩留まり良く製造できる。
【００４３】
なお、上記一実施の形態では、マグネット17,18,19の揺動によって、ステージ12上に設置させたガラス基板８およびターゲット３へと形成される磁場を変化させる構成としたが、これらステージ12上に設置されたガラス基板８およびターゲット３へと形成される磁場をステージ12に沿って変化できる、例えば電磁コイルなどの磁場形成手段であっても対応させて用いることができる。
【００４４】
また、コプラナ型であるトップゲートタイプの薄膜トランジスタ24について説明したが、逆スタガ型などのボトムゲートタイプの薄膜トランジスタ24などであっても、対応させて用いることができる。また、ポリシリコンを用いた薄膜トランジスタ24について説明したが、アモルファスシリコンを用いた薄膜トランジスタ24、その他の薄膜ダイオード(Thin Film Diode:ＴＦＤ)などのスイッチング素子や半導体素子などの電気素子であっても対応させて用いることができる。
【００４５】
さらに、液晶パネル21以外の、画素23ごとに有機色材料が配置された色層に電流を流すことによって、この色層を自己発光させるＯＬＥＤ(Organic Light Emitting Diode：有機発光ダイオード)ディスプレイなどの有機ＥＬ(electroluminescence)表示装置であっても、対応させて用いることができる。
【実施例】
【００４６】
次に、上記一実施の形態にて説明したＤＣマグネトロンスパッタ装置の実施例を図４および図５を参照して説明する。
【００４７】
まず、図４に示すように、実施例１ないし３として、ＤＣマグネトロンスパッタ装置１の放電空間15内に、不活性ガスとしてアルゴン(Ａｒ)ガスを５０Ｓｃｃｍの流量で充填して、この放電空間15内の圧力を０．１Ｐａに調整した。
【００４８】
この後、このＤＣマグネトロンスパッタ装置１の各マグネット17,18,19の１回目の揺動時のターゲット３への印加電圧を、実施例１で５ｋＷ、実施例２で１５ｋＷ、および実施例３で２５ｋＷとするとともに、これら各マグネット17,18,19の２回目以降の揺動時のターゲット３への印加電圧を５０ｋＷとして、１回目の揺動時の印加電圧と２回目以降の揺動時の印加電圧との比、すなわち（１回目の揺動時の印加電圧）／（２回目以降の揺動時の印加電圧）×１００を、実施例１で１０％、実施例２で３０％、および実施例３で５０％とした。
【００４９】
また、実施例４ないし６として、ＤＣマグネトロンスパッタ装置１の放電空間15内に、アルゴンガスを１００Ｓｃｃｍの流量で充填して、この放電空間15内の圧力を０．４Ｐａに調整した。
【００５０】
この後、このＤＣマグネトロンスパッタ装置１の各マグネット17,18,19の１回目の揺動時のターゲット３への印加電圧を、実施例４で５ｋＷ、実施例５で１５ｋＷ、および実施例６で２５ｋＷとするとともに、これら各マグネット17,18,19の２回目以降の揺動時のターゲット３への印加電圧を５０ｋＷとして、１回目の揺動時の印加電圧と２回目以降の揺動時の印加電圧との比を、実施例１で１０％、実施例２で３０％、および実施例３で５０％とした。
【００５１】
さらに、実施例７ないし９として、ＤＣマグネトロンスパッタ装置１の放電空間15内に、アルゴンガスを１６０Ｓｃｃｍの流量で充填して、この放電空間15内の圧力を１．０Ｐａに調整した。
【００５２】
この後、このＤＣマグネトロンスパッタ装置１の各マグネット17,18,19の１回目の揺動時のターゲット３への印加電圧を、実施例４で５ｋＷ、実施例５で１５ｋＷ、および実施例６で２５ｋＷとするとともに、これら各マグネット17,18,19の２回目以降の揺動時のターゲット３への印加電圧を５０ｋＷとして、１回目の揺動時の印加電圧と２回目以降の揺動時の印加電圧との比を、実施例１で１０％、実施例２で３０％、および実施例３で５０％とした。
【００５３】
同時に、比較例１ないし３として、ＤＣマグネトロンスパッタ装置１の放電空間15内に、比較例１で５０Ｓｃｃｍ、比較例２で１００Ｓｃｃｍ、比較例３で１６０Ｓｃｃｍの流量としてアルゴンガスを充填して、この放電空間15内の圧力を、比較例１で０．１Ｐａ、比較例２で０．４Ｐａ、および比較例３で１．０Ｐａに調整した。
【００５４】
この後、このＤＣマグネトロンスパッタ装置１の各マグネット17,18,19の１回目の揺動時のターゲット３への印加電圧と、これら各マグネット17,18,19の２回目以降の揺動時のターゲット３への印加電圧とのそれぞれを、５０ｋＷにして変化させずに、１回目の揺動時の印加電圧と２回目以降の揺動時の印加電圧との比を、比較例１ないし３のそれぞれで１００％とした。
【００５５】
この結果、図５に示すように、実施例１においては、１回目のマグネット17,18,19揺動時の放電電圧が６３０Ｖとなり、異常放電回数が０．１回であった。また、実施例２においては、１回目のマグネット17,18,19揺動時の放電電圧が７０１Ｖとなり、異常放電回数が０．２回であった。さらに、実施例３においては、１回目のマグネット17,18,19揺動時の放電電圧が７７２Ｖとなり、異常放電回数が０．８回であった。
【００５６】
また、実施例４においては、１回目のマグネット17,18,19揺動時の放電電圧が６２０Ｖとなり、異常放電回数が０．２回であった。さらに、実施例５においては、１回目のマグネット17,18,19揺動時の放電電圧が６８９Ｖとなり、異常放電回数が０．２回であった。また、実施例６においては、１回目のマグネット17,18,19揺動時の放電電圧が７５８Ｖとなり、異常放電回数が０．４回であった。
【００５７】
さらに、実施例７においては、１回目のマグネット17,18,19揺動時の放電電圧が６０５Ｖとなり、異常放電回数が０．０回であった。また、実施例８においては、１回目のマグネット17,18,19揺動時の放電電圧が６７２Ｖとなり、異常放電回数が０．２回であった。さらに、実施例９においては、１回目のマグネット17,18,19揺動時の放電電圧が７３８Ｖとなり、異常放電回数が０．３回であった。
【００５８】
これに対し、比較例１においては、１回目のマグネット17,18,19揺動時の放電電圧が９５０Ｖとなり、異常放電回数が７．９回であった。また、比較例２においては、１回目のマグネット17,18,19揺動時の放電電圧が９３２Ｖとなり、異常放電回数が６．１回であった。さらに、比較例３においては、１回目のマグネット17,18,19揺動時の放電電圧が９０４Ｖとなり、異常放電回数が４．３回であった。
【００５９】
この結果、ＤＣマグネトロンスパッタ装置１の各マグネット17,18,19の１回目の揺動の際の印加電圧を、これらマグネット17,18,19の２回目以降の揺動の際の印加電圧の３０％以下にすることによって、これら各マグネット17,18,19の１回目の揺動時の放電電圧を抑制できるとともに、スパッタリング開始時の異常放電回数を抑制できることが分かった。
【図面の簡単な説明】
【００６０】
【図１】本発明のスパッタ方法の一実施の形態の磁場形成手段による揺動回数と放電電圧との関係を示すグラフである。
【図２】同上スパッタ方法を用いたＤＣマグネトロンスパッタ装置の一部を示す説明構成図である。
【図３】同上スパッタ方法にて形成されたメタル層を有する液晶表示装置を示す説明断面図である。
【図４】本発明のスパッタ方法の実施例１ないし９および比較例１ないし３での各数値を示す表である。
【図５】同上実施例１ないし９および比較例１ないし３での放電電圧および異常放電回数を示す表である。
【符号の説明】
【００６１】
３    ターゲット
８    基板としてのガラス基板
９    物質としての膜であるメタル層
12    ステージ
17,18,19    磁場形成手段としてのマグネット
【図１】
2007077454.tif 000003
【図２】
2007077454.tif 000004
【図３】
2007077454.tif 000005
【図４】
2007077454.tif 000006
【図５】
2007077454.tif 000007